(57)【要約】【課題】従来の携帯魔法瓶は、ステンレスの熱伝導率が高いことから、保温性能がやや劣るため、外気温が低い季節では、お湯を入れて１時間経過すると、特に高温を要求される用途（たとえばカップ麺）に供することができない。数時間経過すれば、ややぬるくなり熱い飲み物を飲みたい要求をみたすことができない。【解決手段】魔法瓶がどのような状態であっても重力により底部に移動する水中ヒーターを考案した。ヒーターが内瓶に接触することによる加熱ロスを防ぐため、グリッド状のプロテクタを考案し、強制的に隙間を生じさせる構造とした。プロテクタはその他に、ヒーターの保護・ヤケド防止・内瓶とヒータープローブが当たった際に生じる騒音の低減といった機能も果たしている。【選択図】図２
2006297032.tif 000002
【特許請求の範囲】
【請求項１】
ヒーター部をグリッド状もしくは多孔質状のプロテクタで保護したヒーターユニットと、電線と温度センサーを内蔵したケーブルによりヒーターユニットと接続され吊下げ構造をなし、給湯時に内部の湯気を安全に排気する排気口兼給湯時の空気孔を備え、電源ケーブルのソケットが設置された中ブタ。および金属製魔法瓶本体、温度調節器とコントローラーを内蔵した電源プラグ（電源側）、および外ブタ・保冷および一般用の通常式中ブタ（交換用）から構成される携帯式魔法瓶。
【請求項２】
外周部１８０ｄ度程度度が太陽電池に被覆され、その反対側に折りたたみ収納式の取っ手兼脚が設置され、充電電池とスイッチと電圧インジケータが底部に取付けられた金属製本体。金属製本体底部に取り付けられた請求項１の吊下げ式ヒーター、外ブタ・中ブタ（交換用）から構成される充電式湯沸し機能付携帯魔法瓶。
【請求項３】
内側にヒーター発熱部を保持し、強度と適度な弾性弾性を有し、多孔もしくはグリッド（格子）状の形態で、外部は消音機能を持つ被覆材料で覆われた、熱伝導率が低い材質で作製されたプロテクタ。
【発明の詳細な説明】
【発明の詳細な説明】
【技術分野】
【０００１】この発明は、湯沸し機能のついた携帯魔法瓶および充電式湯沸し機能付携帯魔法瓶に関するものである。
【背景技術】
【０００２】携帯魔法瓶は、中空構造の円筒形をしたステンレス製が主流となっている。ステンレスの強度を活かし真空部分を薄くしたことにより、内容量に対し外形がスリムで、軽量かつ衝撃にも強く、用途に適した特長を持っている。【０００３】反面、ステンレスの熱伝導率が高いことから、保温性能はやや劣り、改良の余地が残る。
【特許文献１】特開２００５−４０５６２
【発明の開示】
【発明が解決しようとする課題】
【０００４】以上に述べた携帯魔法瓶は、保温性能がやや劣るため、外気温が低い季節では、お湯を入れて１時間経過すると、特に高温を要求される用途（たとえばカップ麺）に供することができない。【０００５】数時間経過すれば、ややぬるくなり熱い飲み物を飲みたい要求をみたすことができない。
しかしメリットのほうが大きく、広く一般的に利用されている。
【課題を解決する手段】
【０００６】本発明はステンレス製携帯魔法瓶の持つ特長を活かしたまま、上述した保温性能の課題を解決するためになされたものである。
【０００７】卓上式魔法瓶も、携帯魔法瓶同様の課題を抱えていたが、半据置式にし内瓶底面部分にヒーターを取付け加熱することにより、いつも熱湯を供給でき、かつ、湯沸しまでもできる製品に進化した。
【０００８】携帯魔法瓶も同様にヒーターを取付ければ課題は解決できるが、半据置き式と使用状況が大きく異なるため容易ではない。
【０００９】想定されるヒーターの取付け位置としては、内瓶の底面部分や側壁部分が考えられるが、内瓶による加熱ロスが生じる。
【００１０】内ブタにヒーターを棒状にして取付け、内瓶と触れないようにすれば加熱ロスは低減される。卓上式魔法瓶では改善策として、内ブタに棒状のヒーターを取付け、加熱機能を有する魔法瓶が考案されている（例えば特許文献１参照）。
【００１１】この方式では、直立の状態でかつ魔法瓶内の水位がヒーター部をオーバーしていなければ、ヒーター部が露出し過熱してしまうため製品化にはいたっていない
【００１２】車内や屋外では水の補給が困難な場合が多く、ある程度水位が低下した条件下でも加熱できる方法でなければ携帯魔法瓶には適用できない。したがって、この方式は携帯魔法瓶には適用不可能である。
【００１３】携帯式魔法瓶はどちらかといえば、直立の状態は少なく傾斜したり水平に寝た状態が多く、どのような条件下でも加熱できる方式を採用する必要がある。
【００１４】本発明では、魔法瓶がどのような状態であっても重力により底部に移動する水中ヒーターを考案し、上述した露出によるヒーターの過熱問題を解決した。
【００１５】ヒーターが内瓶に接触することによる加熱ロスを防ぐため、グリッド状のプロテクタを考案し、強制的に隙間を生じさせる構造とした。
【００１６】プロテクタはその他に、ヒーターの保護・ヤケド防止・内瓶とヒータープローブが当たった際に生じる騒音の低減といった機能も果たしている。
【発明の効果】
【００１７】湯沸し機能が付いたことにより、車内やアウトドア建設現場等電源さえあれば場所を問わず適温の湯を得ることができる。加熱時以外は電源ケーブルをとりはずしているので、ステンレス製携帯魔法瓶のもつメリットをそのまま活かすことができる。
加えて充電式湯沸し機能付携帯魔法瓶は、電源のない場所でも使用可能で、携帯性等の使い勝手は従来の携帯魔法瓶そのままである。
【００１８】充電式湯沸し機能付携帯魔法瓶は、太陽電池で筐体外周が被覆され、日中の屋外では底部の充電電池と併せて湯沸しの機能が働く。外部のアダプターを接続すれば充電が可能で、スキー場など電源のない場所でも熱いお湯を得ることができる。
【００１９】サーモ機能により、適温に達したら自動的に電源が切れるので、運転中や作業中でも加熱が可能である。
また、移動式ヒーターの効果で、魔法瓶を座席に寝かせた状態や任意の状態で使用できる。
【００２０】移動式ヒーターの効果で、水位が低下した条件下でも加熱でき、水の補給が困難な車内や屋外での使用に適している。
【発明の実施するための最良の形態】
【００２１】ヒーターユニットを図１を用いて説明する。ヒーター１はプローブ状で、中ブタ２に吊下げケーブル３で取付けられている。吊下げケーブルは電線を補強材で被覆し十分な強度と適度な変形特性（しなやかさ）を有している。
【００２２】ヒーターは多孔もしくはグリッド状のプロテクタ４で被覆され、直接内瓶に触れないような構造になっておりセットでヒーターユニットを構成する。
【００２３】サーモスタット５は、吊下げケーブルのヒーターユニット内ブタ側近傍に設置され、過熱を防ぐとともに省電力で適温を保持する。
【００２４】様々な状況下でのヒーターユニットの位置を、図２を用いて説明する。魔法瓶を直立させた場合、ヒーターユニットは、底面中央に位置する。魔法瓶を傾斜させても寝かせても、ヒータープローブは重力によりその状態での最下部に移動する。
【００２５】プロテクタは十分な強度を有し、ヒーターを保護するとともに、内瓶との間に隙間を生じさせヒーター表面全体をお湯に接触させ、加熱効率（湯沸し効率）を向上させる。
【００２６】プロテクタはヒーターと内瓶の両方に接することと、やけどを防止する機能が要求されることから、耐熱性と熱伝導率の低い材料特性が要求される。
【００２７】ヒータープローブは、内瓶内を自由に移動することから、特に歩行時には内瓶とあたることになる、その際の発生音を低減させるため、プロテクタには適度な変形性および弾性が要求される。
【００２８】プロテクタの材質は、上記で要求される材料特性を満たす樹脂が考えられる。
【００２９】中ブタは注ぎ口を開ける途中のアクションで、空気孔兼用の排気孔が開き、加熱により発生した蒸気を、安全に排気できる構造を有する。
【００３０】電源ケーブルは着脱式で、常時は本体から取り外されており、普通の携帯魔法瓶と同様に使用する。
加熱時のみ電源ケーブルを中ブタのソケットに接続し、シガーライター（車の場合）やコンセント（発電機や商用電源）から電力を得る。
【００３１】充電式湯沸し機能付携帯魔法瓶は、本発明のバリエーションの１つで、太陽電池を筐体外周に被覆し、日中の屋外では底部の充電電池と併せて湯沸しの電源とし加熱機能が働く。
【００３２】外部のアダプターを接続すれば充電が可能で、遠足・登山・ハイキング・スキー・スノーボード・アウトドアなど電源のない場所でも熱いお湯を得ることができる。
【００３３】通常の中ブタに交換すれば、従来と同様に保冷用として使用することができる。
ヒーターユニットは、使用しないときには保管用ケースに収めておく。
【図面の簡単な説明】
【００３４】
【図１】    吊下げ式ヒーターユニットの構造概念図
【図２】    魔法瓶の状態と水位・ヒーター位置との関係
【符号の説明】
【００３４】１ヒーター
２中ブタ
４プロテクタ
【図１】
2006297032.tif 000003
【図２】
2006297032.tif 000004